(57)【特許請求の範囲】
【請求項１】
プローブのヘッドの裏側に超音波振動体を取り付け、
ヘッドの表側の皮膚接触面より超音波振動波を皮膚に伝達する構成とすると共に、
前記ヘッドの皮膚接触面に凹所を形成し、
この凹所内にメッシュ板支持体を挿入固定して、メッシュ板支持体に片持ち状態に取付けた無数の小孔を有するメッシュ板を凹所底部に設置し、
しかしてプローブに備える液貯留部と凹所内部を連通して、液貯留部の液をメッシュ板と凹所底面との間の空隙に導き、前記超音波振動体により振動するメッシュ板を通過させて霧化し、この霧を凹所開口部より放出するようにして成る超音波美肌装置。
【請求項２】
前記メッシュ板を交換可能に前記凹所に取付けると共に、前記液貯留部を着脱可能に取付けることを特徴とする請求項１記載の超音波美肌装置。
【請求項３】
前記液貯留部を液体の種類に応じて交換すると共に、前記メッシュ板も液体の種類に応じて小孔の径の異なるものに交換することを特徴とする請求項１記載の超音波美肌装置。
【請求項４】
前記メッシュ板支持体が筒体の一側を切り欠いた平面視Ｃ型の形状であることを特徴とする請求項１記載の超音波美肌装置。
【請求項５】
前記メッシュ板支持体が弾性材料で形成されていることを特徴とする請求項４記載の超音波美肌装置。
【請求項６】
前記メッシュ板支持体に取出し用の係合部を設けることを特徴とする請求項４記載の超音波美肌装置。
【発明の詳細な説明】
【０００１】
【発明の属する技術分野】
本発明は、超音波振動するプローブのヘッドに凹所を穿ち、これを無数の小孔を有するメッシュ板で覆い、その裏側に液体を導いてミストを噴出する超音波美肌装置に関する。
【０００２】
【発明が解決しようとする課題】
超音波は、強いエネルギーを持つ振動波を発生して菌体の破砕、表層の剥離、洗浄、発熱などの作用があり、この振動波を皮膚に作用すると、皮膚表層を殺菌して老廃物や角質層などを剥離し、ニキビ、毛穴の油、汚れ、化粧の残りなどを浮き上がらせ、皮膚表層の血行を促して組織を活性化し、筋肉の緊張をほぐしてシミ、シワ、タルミなどを除去する美肌効果がある。
【０００３】
ところが超音波は空気中では減衰が大きく、超音波の振動体を直接皮膚に接触させても間の空気が邪魔をしてエネルギーが効率よく皮膚に伝わらない。
このため、超音波の振動体と皮膚との接触面にクリームやジェルなどの媒体を塗って超音波の伝播効率を高めることを行う。
【０００４】
一方、水や化粧水を超音波でミストにして肌に吹き付けると、肌の深部に細かい水の粒子が浸透して肌に潤いを与える。
水や化粧水で潤した肌は超音波の振動波を効率よく伝え、皮膚表層に浮き上がった脂や汚れを水の粒子が洗い流すと共に、有効成分が肌のすみずみまで浸透して栄養を与え、肌をみずみずしく若返らせる効果がある。
このように、超音波のミストは、肌を潤して超音波の伝播効率を高め、汚れを洗浄して肌に栄養を与える効果がある。
【０００５】
超音波のミストは、超音波振動するメッシュ板に液体を導いて発生させる。
ところが、超音波の微細な振動をそのままメッシュ板に伝えたのでは、液体を微小な粒子に分解する振動パワーが不足して実際には十分なミストを発生させることができない。
【０００６】
そこで本発明は、メッシュ板の振動パワーを強めて十分なミストを発生できるようにすることを目的になされたものである。
【０００７】
【課題を解決するための手段】
かかる目的を達成するために、本発明は、以下のように構成した。
【０００８】
すなわち、請求項１の発明は、プローブのヘッドの裏側に超音波振動体を取り付け、
ヘッドの表側の皮膚接触面より超音波振動波を皮膚に伝達する構成とすると共に、
前記ヘッドの皮膚接触面に凹所を形成し、
この凹所内にメッシュ板支持体を挿入固定して、メッシュ板支持体に片持ち状態に取付けた無数の小孔を有するメッシュ板を凹所底部に設置し、
しかしてプローブに備える液貯留部と凹所内部を連通して、液貯留部の液をメッシュ板と凹所底面との間の空隙に導き、前記超音波振動体により振動するメッシュ板を通過させて霧化し、この霧を凹所開口部より放出するようにして成る超音波美肌装置である。
請求項２の発明は、前記メッシュ板を交換可能に前記凹所に取付けると共に、前記液貯留部を着脱可能に取付けることを特徴とする請求項１記載の超音波美肌装置である。
請求項３の発明は、前記液貯留部を液体の種類に応じて交換すると共に、前記メッシュ板も液体の種類に応じて小孔の径の異なるものに交換することを特徴とする請求項１記載の超音波美肌装置である。
請求項４の発明は、前記メッシュ板支持体が筒体の一側を切り欠いた平面視Ｃ型の形状であることを特徴とする請求項１記載の超音波美肌装置である。
請求項５の発明は、前記メッシュ板支持体が弾性材料で形成されていることを特徴とする請求項４記載の超音波美肌装置である。
請求項６の発明は、前記メッシュ板支持体に取出し用の係合部を設けることを特徴とする請求項４記載の超音波美肌装置である。
【０００９】
【発明の実施の形態】
以下に図面を参照して本発明の実施の形態について説明する。
【００１０】
図１と図２に、本発明を実施した超音波美肌装置の正面図と一部を切り欠いた側面図を示す。
超音波美肌装置は、プローブ１の正面に筒状のヘッド２を設け、その内側に圧電セラミックスから成る超音波振動子３を固着する。
【００１１】
ヘッド２は、ヘッド面に穴４を明け、これにメッシュ栓５を着脱自在に嵌め込んで凹所４を塞ぎ、メッシュ栓５の裏側に空間６を形成する。
ヘッド２の外周には空間６に連通する連結孔７を開口し、これに容器８の出口９を着脱自在に挿入して空間６と容器８を連結する。
容器８を設けることにより、一定量の液体を容器８に貯溜できるので、液体をその都度連結孔７に注入する手間が省ける。
また、いろいろな種類の液体を容器８ごと交換してさまざまな種類のミストを発生させることができる。
容器８を交換するときは、メッシュ栓５と空間６と連結孔７をよく洗浄して種類の異なる液体が混じらないようにする。
【００１２】
図３と図４に、メッシュ栓５の正面図と縦断面図を示す。
メッシュ栓５は、一側を切り欠いた筒状のメッシュ板支持体としての外枠５１の底部の内壁に微小な支持台５２を張り出し、これに外枠５１の内周と略同径のメッシュ板５３の一端を固着してメッシュ板５３を片持ち支持する。
支持台５２の高さは底面から０．２ｍｍ程度とし、メッシュ栓５を凹所４に嵌め込むときは、外枠５１が邪魔にならないように切り欠き部を連結孔７に臨ませて連結孔７と空間６を連通させる。
【００１３】
外枠５１は、樹脂などの弾性材料で形成し、切り欠き部を拡縮して筒径を広狭させる。
これにより、メッシュ栓５を凹所４に嵌め込むときは、外枠５１の筒径を狭めて凹所４に挿入し、外枠５１が拡がるばね力で凹所４の内壁を押圧してメッシュ栓５を凹所４に固定する。
また、外枠５１の内周に沿って取出し用の係合部としての円周溝５４を刻設し、この円周溝５４に取出し具の爪を引っ掛けてメッシュ栓５を凹所４から引き出す。
【００１４】
容器８は、図５に示すように、出口９に液管１０を取り付けて連結孔７に挿入してもよい。これにより、液管１０ごと容器８を交換して連結孔７を汚さないようにすることができる。
液管１０には、スポンジなどの保水材料１１を充填して容器８内の液体が一度に流れ出ないようにする。
また、容器８の補給孔に栓１２を嵌め、空になったら栓１２をはずして液体を補給する。
栓１２には小径の空気孔１３を明けて外部と連結し、容器８の液体が空間６に流れ出るのを助ける。
【００１５】
ヘッド２は、しなやかで弾力性のある薄いステンレス鋼板、あるいは硬質アルミ、ジュラルミン、薄銅板などの金属で形成し、ハードクロムメッキなどの表面処理を施す。
【００１６】
メッシュ板５３は、無数の小孔を穿ち、その径を５０〜１００μｍにしてメッシュ板５３全体に高密度に多数分布させる。
小孔は、液が通過する入口側よりも出口側の口径を細く形成したテーパー状にして、ミストの噴出をしやすくする。
また、メッシュ板５３の小孔が大きすぎるとスイッチオフのとき粘度の低い液体はメッシュ板５３より液が洩れ易く、小さすぎると粘度の高い液体はミストが作りにくいなどの障害を生じるので、液体の粘度に応じて小孔の径の異なるメッシュ板５３に交換する。
無数の小孔を有するメッシュ板５３は薄い金属板をエッチングや電鋳で加工して作ることができる。
【００１７】
プローブ１には、このほか、電源スイッチ１４を配置する。
【００１８】
本発明を実施した超音波美肌装置は以上のような構成で、プローブ１のヘッド２に容器８を接続して連結孔７と空間６に容器８内の液体を注入する。
このとき、連結孔７と空間６内の液体はメッシュ板５３を通して外に漏出しようとするが、電源スイッチ１４がオフの静止状態では、連結孔７と空間６が狭く液体の総量が少ないことに加えて、液体の表面張力に拘束されるため、液体は連結孔７と空間６内に止まり、メッシュ板５３より洩れ出ることはない。
この状態で電源スイッチ１４をオンにして超音波振動子３に振動電圧を印加すると、ヘッド２が曲げ変形を起こして微小振幅で振動し、この超音波の振動波が連結孔７と空間６に充填した液体に作用して液体をメッシュ板５３の外に押し出す。
同時に、一端を外枠５１の支持台５２に片持ち支持するメッシュ板５３に振動が伝わって支持台５２を軸にメッシュ板５３の振動が増幅されて開放端部が大きく振動する。
メッシュ板５３を片持ち支持すると、メッシュ板５３の振動を強調し、超音波の振動波を増幅して伝える効果がある。
以上により、メッシュ板５３を通過する液体に十分な振動パワーが伝わって液体が微小な粒子に分解され、メッシュ板５３の表面から霧状に噴出する。
【００１９】
【発明の効果】
以上説明したように、本発明の超音波美肌装置は、メッシュ板を片持ち支持することにより超音波振動するメッシュ板の振動が増幅されて液体を霧化するのに十分な振動パワーが伝わるので、パワー不足を解消して十分なミストを発生できるようになる。
また、液貯留部が着脱自在にすると、いろいろな種類の液体を容器ごと交換してさまざまな種類のミストを発生させることができる。さらには、メッシュ板も液体の粘度に応じ小孔の径の異なるものに交換すると、ミストを適切に作製できる。
【図面の簡単な説明】
【図１】本発明を実施した超音波美肌装置の正面図である。
【図２】図１の一部を切り欠いた側面図である。
【図３】本発明を実施したメッシュ栓の正面図である。
【図４】図３の縦断面図である。
【図５】液管を取り付けた容器の側面図である。
【符号の説明】
１            プローブ
２            ヘッド
３            超音波振動子
４            穴
５            メッシュ栓
５１          外枠
５２          支持台
５３          メッシュ板
５４          円周溝
６            空間
７            連結孔
８            容器
９            出口
１０            液管
１１            保水材料
１２            栓
１３            空気孔
１４            電源スイッチ
【図１】
0003621296.tif 000002
【図２】
0003621296.tif 000003
【図３】
0003621296.tif 000004
【図４】
0003621296.tif 000005
【図５】
0003621296.tif 000006